(57)【要約】  【課題】  小型で高音質の音響発生器およびそれを用いた電子機器を提供する。  【解決手段】  電気信号が入力されて振動する振動体１０と筐体２０とを有し、筐体２０の内部に、振動体１０の主面１０ａに接する空間２１ａと、振動体１０の主面１０ｂに接する空間２１ｂと、振動体１０に接しない空間２１ｃとが形成され、空間２１ａと外部空間とを接続する開口２２と、空間２１ｂと外部空間とを接続する開口２３と、空間２１ｃと外部空間とを接続する開口２４と、空間２１ａと空間２１ｃとを接続する第４開口２５とが形成され、主面１０ａを含む平面内の１つの方向を−ｘ方向とすると、開口２２は空間２１ａの−ｘ方向の端部に形成されており、第４開口２５は空間２１ａにおける＋ｘ方向側に形成されている音響発生器およびそれを用いた電子機器とする。【選択図】  図１
2015186106.tif 000002
【特許請求の範囲】
【請求項１】
電気信号が入力されて振動する振動体と、
該振動体を取り囲み、該振動体から発生する音響を反射する筐体と、
を有しており、
前記振動体は、互いに対向する第１主面と第２主面とを有しており、
前記筐体の内部に、前記振動体の前記第１主面に接する第１空間と、前記振動体の前記第２主面に接する第２空間と、前記振動体に接しない第３空間とが形成されており、
前記第１空間と外部空間とを接続する１つ以上の第１開口と、前記第２空間と前記外部空間とを接続する１つ以上の第２開口と、前記第３空間と前記外部空間とを接続する１つ以上の第３開口と、前記第１空間と前記第３空間とを接続する１つ以上の第４開口と、が形成されているとともに、前記第１空間および前記第３空間と、前記第２空間とは、前記筐体の内部で隔離されており、
前記第１主面を含む平面内の１つの方向を第１方向とし、該第１方向と反対の方向を第２方向とすると、
前記第１開口は前記第１空間の前記第１方向の端部に形成されており、前記第４開口は前記第１空間における前記第２方向側に形成されている
ことを特徴とする音響発生器。
【請求項２】
前記第１空間は、前記筐体の内部における前記第１方向の端部に形成されていることを特徴とする請求項１に記載の音響発生器。
【請求項３】
前記筐体の前記第１方向の表面を第１表面とし、前記筐体の前記第１表面と異なる表面を第２表面とすると、
前記第１開口および前記第３開口は、前記筐体の前記第１表面に形成されており、前記第２開口は、前記筐体の前記第２表面に形成されている
ことを特徴とする請求項１または請求項２に記載の音響発生器。
【請求項４】
前記第２開口は、前記第１開口および前記第３開口よりも小さく、且つ複数の列を成すように形成されていることを特徴とする請求項１乃至請求項３のいずれかに記載の音響発生器。
【請求項５】
請求項１乃至請求項４のいずれかに記載の音響発生器と、該音響発生器に接続された電子回路とを有しており、前記音響発生器から音響を発生させる機能を有することを特徴とする電子機器。
【発明の詳細な説明】
【技術分野】
【０００１】
本発明は、音響発生器およびそれを用いた電子機器に関するものである。
【背景技術】
【０００２】
従来、金属板に圧電素子を取り付けて構成した薄型のスピーカーが知られている（例えば、特許文献１を参照。）。
【先行技術文献】
【特許文献】
【０００３】
【特許文献１】特開２００４−２３４３６号公報
【発明の概要】
【発明が解決しようとする課題】
【０００４】
しかしながら、上述した従来のスピーカーは、金属板の裏面から生じる逆位相の音が表側に回り込むことにより、金属板の表側において特に低音が小さくなり、音質が悪いという問題があった。また、逆位相の音の回り込みを防止するために金属板を筐体に収容した場合、筐体を薄くすると音質が劣化するという問題があった。
【０００５】
本発明はこのような従来の技術における問題点に鑑みて案出されたものであり、その目的は、高音質の音響を発生させることができる小型の音響発生器およびそれを用いた電子機器を提供することにある。
【課題を解決するための手段】
【０００６】
本発明の音響発生器は、電気信号が入力されて振動する振動体と、該振動体を取り囲み、該振動体から発生する音響を反射する筐体と、を有しており、前記振動体は、互いに対向する第１主面と第２主面とを有しており、前記筐体の内部に、前記振動体の前記第１主面に接する第１空間と、前記振動体の前記第２主面に接する第２空間と、前記振動体に接しない第３空間とが形成されており、前記第１空間と外部空間とを接続する１つ以上の第１開口と、前記第２空間と前記外部空間とを接続する１つ以上の第２開口と、前記第３空間と前記外部空間とを接続する１つ以上の第３開口と、前記第１空間と前記第３空間とを接続する１つ以上の第４開口と、が形成されているとともに、前記第１空間および前記第３空間と、前記第２空間とは、前記筐体の内部で隔離されており、前記第１主面を含む平面内の１つの方向を第１方向とし、該第１方向と反対の方向を第２方向とすると、前記第１開口は前記第１空間の前記第１方向の端部に形成されており、前記第４開口は前記第１空間における前記第２方向側に形成されていることを特徴とする。
【０００７】
本発明の電子機器は、前記音響発生器と、該音響発生器に接続された電子回路とを有しており、前記音響発生器から音響を発生させる機能を有することを特徴とする。
【発明の効果】
【０００８】
本発明の音響発生器は、小型であり、高音質の音響を発生させることができる。本発明の音響発生器を用いた電子機器は、高音質の音響を発生させることができる。
【図面の簡単な説明】
【０００９】
【図１】本発明の第１実施形態の音響発生器を模式的に示す斜視図である。
【図２】図１のＡ−Ｂ線断面図である。
【図３】本発明の第１実施形態の音響発生器を模式的に示す平面図である。
【図４】本発明の第１実施形態の音響発生器を模式的に示す平面図である。
【図５】本発明の第１実施形態の音響発生器を模式的に示す平面図である。
【図６】本発明の第１実施形態の音響発生器を模式的に示す平面図である。
【図７】本発明の第１実施形態の音響発生器を模式的に示す平面図である。
【図８】本発明の第２実施形態の電子機器を模式的に示すブロック図である。数特性を示すグラフである。
【発明を実施するための形態】
【００１０】
以下、本発明の実施形態である音響発生器およびそれを用いた電子機器を添付の図面を参照しつつ詳細に説明する。なお、図面においては、互いに直交するｘ軸、ｙ軸、ｚ軸を用いて方向を示している。
【００１１】
（第１実施形態）
図１は、本発明の第１実施形態の音響発生器を模式的に示す斜視図である。図２は、図１のＡ−Ｂ線断面図である。図３，図４は、本発明の第１実施形態の音響発生器を模式的に示す、＋ｚ方向から見た平面図である。なお、図３は、パネル１７を取り除いた状態を示しており、図４は、パネル１７およびスペーサー１５ａ，１５ｂ，１５ｃ，１５ｄを取り除いた状態を示している。図５〜図７は、本発明の第１実施形態の音響発生器を模式的に示す、−ｚ方向から見た平面図である。なお、図６は、パネル１８を取り除いた状態を示しており、図７は、パネル１８、スペーサー１６および樹脂層１３を取り除いた状態を示している。なお、図１〜図７では、互いに直交するｘ軸，ｙ軸，ｚ軸によって方向を示している。
【００１２】
本実施形態の音響発生器は、図１〜図７に示すように、励振器１１と、フィルム１２と、樹脂層１３と、フレーム１４ａ，１４ｂ（フレーム１４ａ，フレーム１４ｂ）と、スペーサー１５ａ，１５ｂ，１６，１９（スペーサー１５ａ，スペーサー１５ｂ，スペーサー１６，スペーサー１９）と、パネル１７，１８（パネル１７，パネル１８）とを有している。
【００１３】
フレーム１４ａ，１４ｂは、それぞれ矩形の枠状の形状を有している。フレーム１４ａ，１４ｂは、例えば、厚み１００〜１０００μｍのステンレス製のものを好適に用いることができるが、材質および厚みは特に限定されるものではなく、フィルム１２および樹脂層１３よりも変形し難いものであれば良い。例えば、硬質樹脂、プラスチック、エンジニアリングプラスチック、セラミックス等を用いてフレーム１４ａ，１４ｂを形成することができる。
【００１４】
フィルム１２は、フィルム状（薄板状）の形状を有しており、例えば、ＰＥＴ（ポリエチレンテレフタレート）、ポリイミド等の樹脂を用いて形成することができる。また、フィルム１２の厚みは、例えば、１０〜２００μｍとされる。そして、フィルム１２は、面方向（ｘ軸方向およびｙ軸方向）に張力をかけられた状態で、上下の主面（ｚ軸方向の両端面）の周縁部をフレーム１４ａ，１４ｂで挟まれて固定されており、フレーム１４ａ，１４ｂによって振動可能に支持されている。
【００１５】
なお、フレーム１４ａ，１４ｂの形状は、矩形状に限定されるものではなく、円形や菱形であってもよい。また、フレーム１４ｂを有さない場合には、例えば、フレーム１４ａの＋ｚ方向の表面にフィルム１２を接着すれば良く、また、フレーム１４ａを有さない場合には、例えば、フレーム１４ｂの−ｚ方向の表面にフィルム１２を接着すればよい。なお、フィルム１２に代えて、薄板状の金属や、紙等を用いても良い。
【００１６】
励振器１１は、フィルム１２の−ｚ方向側の表面に取り付けられており、フィルム１２
と一体化されている。励振器１１は、上下の主面（ｚ軸方向の両端面）が矩形である板状の形状を有する圧電素子である。詳細な図示を省略するが、励振器１１は、圧電セラミックスからなる圧電体層と内部電極層とを交互に積層してなる積層体と、この積層体の上下面（ｚ軸方向の両端面）に形成された表面電極層と、積層体の長手方向（ｙ軸方向）の両端面にそれぞれ設けられた一対の端子電極とで構成されている。なお、表面電極および内部電極層は、積層体の長手方向（ｙ軸方向）の両端面に交互に引き出されており、それぞれ端子電極に接続されている。そして、図示せぬ配線を介して一対の端子電極に電気信号が加えられる。
【００１７】
励振器１１は、バイモルフ型の圧電素子とされており、電気信号が入力されたときに、任意の瞬間において、厚み方向（ｚ軸方向）における一方側と他方側とで伸縮が逆になるようにされている。よって、励振器１１は、電気信号が入力されるとｚ軸方向に屈曲振動する。
【００１８】
なお、励振器１１として、例えば、電気信号が入力されて伸縮振動する圧電素子と金属板とを張り合わせて構成したモノモルフ型の振動素子を用いても構わない。また、励振器１１のフィルム１２側の主面とフィルム１２とは、例えば、エポキシ系樹脂、シリコーン系樹脂、ポリエステル系樹脂等の既知の接着剤や、両面テープ等によって接着されている。
【００１９】
樹脂層１３は、励振器１１を埋設するように、フレーム１４ａの内側の全体に渡って形成されており、フィルム１２および励振器１１と一体化されている。樹脂層１３は、既知の種々の材料を用いて形成することができる。例えば、アクリル樹脂、シリコーン樹脂等の樹脂や、あるいはゴム等を用いることができる。また、樹脂層１３の厚みは、励振器１１を完全に覆う程度の厚みであることが望ましいが、フィルム１２の少なくとも一部を被覆するように形成されていれば良い。なお、樹脂層１３は、音響発生器から発生する音響の音質を高める効果があるが、必須ではなく、場合によっては無くても構わない。
【００２０】
そして、励振器１１に電気信号が入力されることによって、フィルム１２におけるフレーム１４ａ，１４ｂの内側に位置する部分（フレーム１４ａ，１４ｂに挟まれていない部分）と、励振器１１と、樹脂層１３とが、一体的に振動して音響が発生する。すなわち、フィルム１２におけるフレーム１４ａ，１４ｂの内側に位置する部分（フレーム１４ａ，１４ｂに挟まれていない部分）と、励振器１１と、樹脂層１３とによって、電気信号が入力されて振動して音響を発生させる振動体１０が構成されている。振動体１０は、矩形の平板状の形状を有しており、互いに対向する主面１０ａと主面１０ｂとを有している。主面１０ａは、振動体１０の＋ｚ方向側の表面であり、フィルム１２の＋ｚ方向の表面で構成されている。主面１０ｂは、振動体１０の−ｚ方向側の表面であり、樹脂層１３の−ｚ方向側の表面で構成されている。なお、振動体１０は、平たい形状（厚みが小さく面積が大きい形状）、すなわち、薄板状やフィルム状の形状であれば良く、例えば、５角形や楕円形の平面形状を有していても構わない。なお、振動体１０は、励振器１１とともに一体的に振動して音響を発生させる部分であり、他の構成要素を含むことができる。また、樹脂層１３を有さない場合には、フィルム１２におけるフレーム１４ａ，１４ｂの内側に位置する部分と励振器１１とによって振動体１０が構成される。
【００２１】
スペーサー１６は、フレーム１４ａと同じ矩形の枠状の形状を有しており、厚さ（ｚ軸方向の寸法）が大きい以外はフレーム１４ａと同じ寸法を有している。そして、スペーサー１６の＋ｚ方向の表面が、フレーム１４ａの−ｚ方向の表面に接合されている。
【００２２】
パネル１８は、矩形の平板状の形状を有している。そして、パネル１８の＋ｚ方向側の主面における、−ｘ方向の端部且つｙ軸方向の中央部に、スペーサー１６の−ｚ方向の表
面が接合されている。
【００２３】
スペーサー１５ａ，１５ｂは、フレーム１４ｂのｘ軸方向の長さと同じ長さを有する矩形の棒状の形状を有している。そして、スペーサー１５ａは、フレーム１４ｂの＋ｚ方向の表面における、＋ｙ方向の端部に接合されており、スペーサー１５ｂは、フレーム１４ｂの＋ｚ方向の表面における、−ｙ方向の端部に接合されている。
【００２４】
スペーサー１５ｃ，１５ｄは、直方体状の形状を有している。そして、そして、スペーサー１５ｃは、フレーム１４ｂの＋ｚ方向の表面における、−ｘ方向の端部且つｙ軸方向の中央に接合されている。スペーサー１５ｄは、フレーム１４ｂの＋ｚ方向の表面における、＋ｘ方向の端部且つｙ軸方向の中央に接合されている。
【００２５】
スペーサー１９は、日本語のカタカナの“コ”のような形状（アルファベットの“Ｕ”のような形状）を有している。そして、パネル１８の＋ｚ方向の表面における、周縁の４辺のうちの３辺（＋ｙ方向端部，＋ｘ方向端部および−ｙ方向端部）に、スペーサー１９の−ｚ方向の表面が接合されている。
【００２６】
パネル１７は、パネル１８と同じ形状寸法を有しており、パネル１８よりも＋ｚ方向側に、間隔を開けてパネル１８と対向するように配置されている。そして、スペーサー１５ａ，１５ｂ，１５ｃ，１５ｄの＋ｚ方向側の表面と、パネル１７の−ｚ方向側の表面とが接合されているとともに、スペーサー１９の＋ｚ方向側の表面と、パネル１７の−ｚ方向側の表面とが接合されている。
【００２７】
このようにして、フィルム１２のフレーム１４ａ，１４ｂに挟まれた部分と、フレーム１４ａ，１４ｂと、スペーサー１５ａ，１５ｂ，１５ｃ，１５ｄと、スペーサー１６と、パネル１７，１８と、スペーサー１９とによって、振動体１０を取り囲み、振動体１０から発生する音響を反射する筐体２０が構成されている。また、振動体１０と、フレーム１４ｂと、スペーサー１５ａ，１５ｂ，１５ｃ，１５ｄと、パネル１７とで囲まれた、空間２１ａが形成されている。また、振動体１０と、フレーム１４ａと、スペーサー１６と、パネル１８とで囲まれた、空間２１ｂが形成されている。また、フィルム１２のフレーム１４ａ，１４ｂに挟まれた部分と、フレーム１４ａ，１４ｂと、スペーサー１５ａ，１５ｂ，１５ｄと、スペーサー１６と、パネル１７，１８と、スペーサー１９とによって囲まれた空間２１ｃが形成されている。なお、空間２１ａは、振動体１０の主面１０ａに接しており、空間２１ｂは、振動体１０の主面１０ｂに接しており、空間２１ｃは、振動体１０に接していない。
【００２８】
そして、筐体２０の−ｘ方向端部には、フレーム１４ｂと、スペーサー１５ａ，１５ｂ，１５ｃと、パネル１７とによって囲まれた２つの開口２２が形成されている。そして、開口２２を介して、空間２１ａと外部空間とが接続されている。また、パネル１８の−ｘ方向側の部分には、複数の開口２３が列状に形成されている。そして、開口２３を介して、空間２１ｂと外部空間とが接続されている。また、筐体２０の−ｘ方向端部には、フィルム１２のフレーム１４ａ，１４ｂに挟まれた部分と、フレーム１４ａ，１４ｂと、スペーサー１５ａ，１５ｂと、スペーサー１６と、パネル１７，１８と、スペーサー１９とで囲まれた２つの開口２４が形成されている。そして、開口２４を介して、空間２１ｃと外部空間とが接続されている。また、空間２１ａの＋ｘ方向の端部には、フレーム１４ｂと、スペーサー１５ａ，１５ｂ，１５ｄと、パネル１７とによって囲まれた２つの開口２５が形成されている。そして、開口２５を介して、空間２１ａと空間２１ｃとが接続されている。
【００２９】
なお、スペーサー１５ａ，１５ｂ，１５ｃ，１５ｄ、スペーサー１６、スペーサー１９
、パネル１７，１８は、樹脂，金属，セラミクス，ガラス，木材等の種々の材料を用いて形成することができる。また、筐体２０や、空間２１ａ，２１ｂ，２１ｃや、開口２２，２３，２４，２５の形状は、種々の形状とすることができる。
【００３０】
このように、本実施形態の音響発生器では、筐体２０の内部に、振動体１０の主面１０ａに接する空間２１ａと、振動体１０の主面１０ｂに接する空間２１ｂと、振動体１０に接しない空間２１ｃとが形成されている。そして、空間２１ａと外部空間とを接続する１つ以上の開口２２と、空間２１ｂと外部空間とを接続する１つ以上の開口２３と、空間２１ｃと外部空間とを接続する１つ以上の開口２４と、空間２１ａと空間２１ｃとを接続する１つ以上の第４開口２５と、が形成されている。そして、空間２１ａおよび空間２１ｃと、空間２１ｂとは、筐体２０の内部で隔離されている。そして、主面１０ａを含む平面内の１つの方向を−ｘ方向とし、−ｘ方向と反対の方向を＋ｘ方向とすると、開口２２は空間２１ａの−ｘ方向の端部に形成されており、第４開口２５は空間２１ａにおける＋ｘ方向側に形成されている。このような構成により、高音質の音響を発生させることができる小型（特に薄型）の音響発生器を実現できる。
【００３１】
この効果が得られる理由は次のように推定できる。まず、開口２２を空間２１ａの−ｘ方向の端部に形成することにより、音質の向上と薄型化を両立できる。そして、開口２５を空間２１ａにおける＋ｘ方向側（＋ｘ方向の端部）に形成することにより、空間２１ａ内の−ｘ方向側と＋ｘ方向側の圧力差を低減することができ、これによって更に音質を向上できる。また、空間２１ａと空間２１ｂとを隔離することにより、逆位相の音響による音質の低下を低減でき、開口２３によって、空気バネの作用による音質の低下を防止できる。
【００３２】
また、本実施形態の音響発生器では、空間２１ａは、筐体２０の内部における−ｘ方向の端部に形成されている。これにより、開口２５付近の空間２１ｃの体積を大きく確保することができるため、さらに音質を向上させることができる。
【００３３】
また、本実施形態の音響発生器では、筐体２０の−ｘ方向の表面を第１表面とし、筐体２０の第１表面と異なる表面（−ｚ方向の表面）を第２表面とすると、開口２２および開口２４は、筐体２０の第１表面に形成されており、開口２３は、筐体２０の第２表面に形成されている。これにより、音響発生器から−ｘ方向側へ放出される音響の音圧を高くすることができるとともに、逆位相の音響の回り込みによる音質の低下をさらに低減することができる。
【００３４】
また、本実施形態の音響発生器は、開口２３は、開口２２および開口２４よりも小さく、且つ複数の列を成すように形成されている。これにより、逆位相の音響の回り込みによる音質の低下をさらに低減することができる。
【００３５】
本実施形態の音響発生器は、例えば次のようにして製造することができる。まず、圧電材料の粉末にバインダー、分散剤、可塑剤、溶剤を添加して掻き混ぜて、スラリーを作製する。圧電材料としては、鉛系、非鉛系のうちいずれでも使用することができる。次に、得られたスラリーをシート状に成形し、グリーンシートを作製する。このグリーンシートに導体ペーストを印刷して内部電極となる導体パターンを形成し、この導体パターンが形成されたグリーンシートを積層して、積層成形体を作製する。
【００３６】
次に、この積層成形体を脱脂、焼成し、所定寸法にカットすることにより積層体を得ることができる。必要に応じて、積層体の外周部を加工する。次に、積層体の積層方向の主面に、導体ペーストを印刷して表面電極層となる導体パターンを形成し、積層体の長手方向（ｙ軸方向）の両側面に、導体ペーストを印刷して一対の端子電極となる導体パターン
を形成する。そして、所定の温度で電極の焼付けを行うことにより、励振器１１となる構造体を得ることができる。その後に、励振器１１に圧電性を付与するために表面電極層または一対の端子電極を通じて直流電圧を印加して、励振器１１の圧電体層の分極を行う。このようにして励振器１１を得ることができる。
【００３７】
次に、張力をかけた状態のフィルム１２の周縁を、接着剤を塗布したフレーム１４ａ，１４ｂで挟んで固定し、接着剤を硬化させて接合する。そして、フィルム１２の−ｚ方向側の表面に励振器１１を接着剤でフィルム１２に接合し、励振器１１に配線を接続する。そして、フレーム１４ａの内側に樹脂を流し込んで硬化させることにより樹脂層１３を形成する。
【００３８】
そして、予め準備したスペーサースペーサー１５ａ，１５ｂ，１５ｃ，１５ｄ、スペーサー１６、スペーサー１９、パネル１７，１８を粘着剤もしくは接着剤で接合して筐体２０を形成する。このようにして、本実施形態の音響発生器を得ることができる。
【００３９】
（第２実施形態）
図８は、第２実施形態の電子機器５０の構成の一例を示すブロック図である。本例の電子機器５０は、図８に示すように、音響発生器３０と、電子回路６０と、キー入力部５０ｃと、マイク入力部５０ｄと、表示部５０ｅと、アンテナ５０ｆとを有している。なお、図８は、例えば、携帯電話、タブレット端末、あるいはパーソナルコンピュータのような電子機器を想定したブロック図である。
【００４０】
電子回路６０は、制御回路５０ａと、通信回路５０ｂとを有している。また、電子回路６０は、音響発生器３０に接続されており、音響発生器へ音声信号を出力する機能を有している。制御回路５０ａは、電子機器５０の制御部である。通信回路５０ｂは、制御回路５０ａの制御に基づき、アンテナ５０ｆを介してデータの送信や受信などを行う。
【００４１】
キー入力部５０ｃは、電子機器５０の入力デバイスであり、操作者によるキー入力操作を受け付ける。マイク入力部５０ｄは、同じく電子機器５０の入力デバイスであり、操作者による音声入力操作などを受け付ける。表示部５０ｅは、電子機器５０の表示出力デバイスであり、制御回路５０ａの制御に基づき、表示情報の出力を行う。
【００４２】
音響発生器３０は、前述した第１実施形態のような音響発生器である。そして、音響発生器３０は、電子機器５０における音響出力デバイスとして機能しており、電子回路６０から入力された音声信号に基づいて音響（可聴周波数帯域外の音響も含む）を発生させる。なお、音響発生器３０は、電子回路６０の制御回路５０ａに接続されており、制御回路５０ａによって制御された電圧の印加を受けて音響を発生させる。
【００４３】
本例の電子機器５０は、前述した第１実施形態のような音響発生器３０と、音響発生器３０に接続された電子回路６０とを有しており、第１実施形態のような音響発生器３０を用いて音響を発生させる。これにより、高音質な音響を発生させることができるとともに、小型の電子機器５０を得ることができる。
【００４４】
なお、電子機器５０の構造の一例としては、例えば、電子機器５０の筐体の内部に、図８に示す電子回路６０，キー入力部５０ｃ，マイク入力部５０ｄ，表示部５０ｅ，アンテナ５０ｆおよび音響発生器３０を備えたものとすることができる。また、電子機器５０の構造の他の例としては、図８に示す電子回路６０，キー入力部５０ｃ，マイク入力部５０ｄ，表示部５０およびアンテナ５０ｆを筐体に備えた機器本体と、音響発生器３０とを、リード線等を介して電気信号が伝達可能に接続したものとすることができる。
【００４５】
また、本例の電子機器は、図８に示した、キー入力部５０ｃ，マイク入力部５０ｄ，表示部５０ｅおよびアンテナ５０ｆを全て有している必要はなく、音響発生器３０と、電子回路６０とを少なくとも有していれば良い。また、電子機器５０は、他の構成要素を有していても良い。電子回路６０も、上述した構成の電子回路６０に限定されるものではなく、他の構成を有する電子回路であっても構わない。
【００４６】
また、本例の電子機器は、上述した、携帯電話，タブレット端末，パーソナルコンピュータ等の電子機器に限定されるものではない。音響や音声を発生させる機能を有する、テレビ、オーディオ機器、ラジオ、掃除機，洗濯機，冷蔵庫，電子レンジ等の種々の電子機器において、前述した第１実施形態のような音響発生器３０を、音響発生装置として用いることができる。
【００４７】
（変形例）
本発明は上述した実施形態に限定されるものではなく、本発明の要旨を逸脱しない範囲において種々の変更，改良が可能である。
【００４８】
例えば、前述した実施形態においては、励振器１１として圧電素子を用いた例を示したが、これに限定されるものではない。励振器１１は、電気信号を機械的振動に変換する機能を有していればよく、電気信号を機械的振動に変換する機能を有する他のものを励振器１１として用いても構わない。例えば、スピーカーを振動させる励振器としてよく知られた、動電型の励振器や、静電型の励振器や、電磁型の励振器を励振器１１として用いても構わない。なお、動電型の励振器は、永久磁石の磁極の間に配置されたコイルに電流を流してコイルを振動させるようなものであり、静電型の励振器は、向き合わせた２つの金属板にバイアスと電気信号とを流して金属板を振動させるようなものであり、電磁型の励振器は、電気信号をコイルに流して薄い鉄板を振動させるようなものである。
【００４９】
また、前述した実施形態においては、フィルム１２の表面に１個の励振器１１が取り付けられた例を示したが、これに限定されるものではない。例えば、フィルム１２の表面にもっと多くの励振器を取り付けても構わない。
【符号の説明】
【００５０】
１０：振動体
１１：励振器
２０：筐体
２１ａ，２１ｂ，２１ｃ：空間
２２，２３，２４、２５：開口
６０：電子回路
【図１】
2015186106.tif 000003
【図２】
2015186106.tif 000004
【図３】
2015186106.tif 000005
【図４】
2015186106.tif 000006
【図５】
2015186106.tif 000007
【図６】
2015186106.tif 000008
【図７】
2015186106.tif 000009
【図８】
2015186106.tif 000010